(57)【要約】      （修正有）【課題】発光および音声の発生が行える発光スピーカ装置およびこの発光スピーカ装置を搭載する音声器具を提供する。【解決手段】発光スピーカ装置１は、振動によって発電する振動発電装置７および振動発電装置７の表面側に設けられた面発光素子８を有する振動板２と、振動発電装置７の背面７ｂ側に設けられ、振動板２を振動させる振動装置３と、振動発電装置７によって発電された電力を貯蔵する蓄電装置５と、蓄電装置５に貯蔵された電力が電源として入力され、面発光素子８を点灯する点灯装置６とを具備している。【選択図】図１
2011061413.tif 000002
【特許請求の範囲】
【請求項１】
振動によって発電する振動発電装置およびこの振動発電装置の表面側に設けられた面発光素子を有する振動板と；
前記振動発電装置の背面側に設けられ、前記振動板を振動させる振動装置と；
前記振動発電装置によって発電された電力を貯蔵する蓄電装置と；
この蓄電装置に貯蔵された電力が電源として入力され、前記面発光素子を点灯する点灯装置と；
を具備していることを特徴とする発光スピーカ装置。
【請求項２】
外部の音源装置に接続されているケーブルを着脱可能な接続装置と；
を具備し、前記振動装置は、前記音源装置から送信された音圧データを電気信号で受信して振動することを特徴とする請求項１記載の発光スピーカ装置。
【請求項３】
請求項１または２記載の発光スピーカ装置と；
前記面発光素子が露出するようにして前記発光スピーカ装置を配設している筐体と；
前記振動装置に音圧データを送信する音源装置と；
を具備していることを特徴とする音声器具。
【発明の詳細な説明】
【技術分野】
【０００１】
本発明は、発光および音声の発生が行える発光スピーカ装置およびこの発光スピーカ装置を搭載する音声器具に関する。
【背景技術】
【０００２】
音響部および発光部を持ち合わせる様々な電気装置があり、例えば、音響の発生と同期して発光を行う発光スピーカ装置が提案されている（特許文献１参照。）。この従来技術の発光スピーカ装置は、透光性であって薄い圧電スピーカの背面に、異なる発光色を呈する同心円状のＥＬ素子を有し、圧電スピーカの面積とほぼ等しい面積の発光部を設けるとともに、音源装置の出力を受け所定の周波数帯域の音源出力に対して出力を生じる帯域フィルタの出力に応じてＥＬ素子を選択的に駆動する駆動装置を設けて、圧電スピーカより音響が発生されるのと同期して、圧電スピーカの発生する音響の周波数に応じてＥＬ素子を選択的に発光させるものである。このため、発光スピーカ装置の厚さを薄くするとともに、ＥＬ素子の面積を大きくすることができ、全体をコンパクトにまとめることができるとともに、視覚効果を向上させることができるというものである。
【０００３】
また、スピーカと発電機の両方の機能を有することが可能な電気機械変換器が提案されている（特許文献２参照。）。この従来技術の電気機械変換器は、磁気回路に設けた磁気ギャップ内に配設されたボイスコイルにスイッチを備え、このスイッチは、外部振動を付加したとき、逆起電力を取り出す第１モードに接続し、一方、オーディオ聴取時に、第１モードを開放してオーディオ信号を供給する第２モードに接続する構成となっている。そして、前者のときには、発電機として機能し、後者のときには、スピーカとして機能するので、トータル的に電力消費を抑制し、バッテリ上がりを軽減することができるというものである。
【０００４】
また、オーディオ信号を供給するボイスコイルに加え、このボイスコイルに作用する振動により発生する逆起電力を取り出す補助コイルを並設することにより、オーディオ聴取時であっても、補助コイルが発電コイルとしての作用をすることができるので、電気機械変換器の発電機としての機能を高めることができるというものである。そして、前記取り出した逆起電力は、蓄電池に蓄電させることが開示されている。
また、スピーカ内に電子回路部を収納することにより、スピーカと電子回路部の一体化を図り、スピーカシステムをコンパクト化するスピーカが提案されている（特許文献３参照。）。この従来技術のスピーカは、磁気回路と、この磁気回路の磁気ギャップにはまり込むように結合されたボイスコイルと、このボイスコイルに結合された振動板と、この振動板の外周部に固定したフレームとを備え、振動板により凹部を形成し、この凹部内に、ボイスコイルに電気接続された電子回路部を収納させたものである。ボイスコイルは、発電用のコイルを設けて構成されることにより、スピーカを駆動しているとき、または、スピーカが駆動していないときでも外部振動等により振動系が振幅しているときには、スピーカを発電機として使用することができ、エネルギー効率を向上させることができるというものである。また、スピーカの振動系部品に発電機能と蓄電機能とを備えて構成することにより、スピーカを発電機として使用しているときに、蓄電することが可能となり、余分なエネルギーを保存させることができるというものである。
【先行技術文献】
【特許文献】
【０００５】
【特許文献１】特開平７−１０７５９２号公報（第３頁、第１図）
【特許文献２】特開２００４−２２１７４３号公報（第６−７頁、第１，２，７図）
【特許文献３】特開２００４−１２８６４１号公報（第６頁、第３，４図）
【発明の概要】
【発明が解決しようとする課題】
【０００６】
特許文献１の発光スピーカ装置は、駆動装置から駆動信号を各ＥＬ素子に選択的に供給して各ＥＬ素子を発光させるものであり、この駆動装置に外部電源を供給するので、災害などにより停電が発生したときには、駆動装置に電源を供給することができなくなって使用できなくなるおそれがあるという欠点を有する。また、各ＥＬ素子からなる発光部は、スピーカの音響に同期して発光するので、災害発生時に照明用光源として利用できないものである。
【０００７】
また、特許文献２の電気機械変換器および特許文献３のスピーカは、スピーカが駆動しているときにも発電するには、補助コイル（発電用のコイル）を設ける必要があり、部品点数が増加するという欠点を有する。また、蓄電池にはボイスコイルまたは補助コイルに発生した逆起電力を蓄えるので、逆起電力を整流する整流機能や充電するための充電機能を具備することになり、装置本体が大型化するという欠点を有する。したがって、特許文献１の発光スピーカ装置に特許文献２または３の構成を適用すると、当該発光スピーカ装置は大型化するという欠点を有する。
【０００８】
本発明は、自己発電機能および蓄電機能を有し、小型化が図れるとともに照明用灯具として使用可能な発光スピーカ装置およびこの発光スピーカ装置を具備する音声器具を提供することを目的とする。
【課題を解決するための手段】
【０００９】
請求項１に記載の発光スピーカ装置の発明は、振動によって発電する振動発電装置およびこの振動発電装置の表面側に設けられた面発光素子を有する振動板と；前記振動発電装置の背面側に設けられ、前記振動板を振動させる振動装置と；前記振動発電装置によって発電された電力を貯蔵する蓄電装置と；この蓄電装置に貯蔵された電力が電源として入力され、前記面発光素子を点灯する点灯装置と；を具備していることを特徴とする。
【００１０】
本発明および以下の各発明において、特に言及しない限り、各構成は以下による。
【００１１】
面発光素子は、例えば、有機エレクトロルミネッセンス（ＥＬ）素子とすることができる。また、発光ダイオード（ＬＥＤ）素子などの光源と導光板を使用した薄型の面発光素子であってもよい。
【００１２】
振動発電装置は、振動板を構成する大きさのものであって、振動エネルギーを電気エネルギーに変換するものであればよく、例えば圧電素子や圧電フィルムなどで形成することができる。
【００１３】
「振動発電装置の表面および背面」とは、振動発電装置の一方の面を表面とし、一方の面の反対側の他方の面を背面とするものである。
【００１４】
振動装置は、振動板に接触または近接し、例えば音源装置から送信された音圧データに応じて振動板を振動させるものである。
【００１５】
本発明によれば、振動装置は、例えば音源装置から送信された音圧データを入力すると、当該音圧データに応じて振動板を振動させる。これにより、音圧データに応じた音声が発音される。そして、振動板の振動は、振動発電装置の振動となり、振動発電装置は、当該振動によって発電する。その発電された電力は、蓄電装置に貯蔵される。
【００１６】
また、振動板は、外部の振動が作用すると、その振動に応動して振動し、振動発電装置は、当該振動によって発電する。その発電した電力は、蓄電装置に貯蔵される。そして、蓄電装置に点灯装置を電気接続すると、点灯装置は、蓄電装置に貯蔵された電力を電源とし、面発光素子に電力を供給する。これにより、面発光素子は、点灯し、その放射光は、振動板から外方に出射される。
【００１７】
請求項２に記載の発光スピーカ装置の発明は、請求項１記載の発光スピーカ装置の発明において、外部の音源装置に接続されているケーブルを着脱可能な接続装置と；を具備し、前記振動装置は、前記音源装置から送信された音圧データを電気信号で受信して振動することを特徴とする。
【００１８】
接続装置は、例えばコネクタ、端子台やモジュラーなどである。
【００１９】
本発明によれば、音源装置をケーブルにより接続装置に接続し、音源装置から音圧データを送信すると、振動装置が当該音圧データに応じて振動板を振動させる。これにより、当該音圧データに応じた音声が発光スピーカ装置から発音されるとともに、振動発電装置が振動して発電し、発電した電力が蓄電装置に貯蔵される。
【００２０】
請求項３に記載の音声器具の発明は、請求項１または２記載の発光スピーカ装置と；前記面発光素子が露出するようにして前記発光スピーカ装置を配設している筐体と；前記振動装置に音圧データを送信する音源装置と；を具備していることを特徴とする。
【００２１】
「面発光素子が露出するように」とは、面発光素子から放射された光が筐体から外方に出射されるように面発光素子が筐体に配設されることを意味する。面発光素子の前面側には、透光性部材が設けられていてもよい。
【００２２】
音源装置は、音圧データを無線信号で送信するものであってもよい。この場合、発光スピーカ装置には、当該無線信号を受信して、音圧データを電気信号に変換して振動装置に送信する受信装置を設ければよい。
【００２３】
本発明によれば、音源装置から送信された音圧データに応じた音声を発音するとともに、面発光素子の放射光により照明可能な発光スピーカ装置を具備する音声器具が提供される。
【発明の効果】
【００２４】
請求項１の発明によれば、振動発電装置が振動板を兼用することにより、発光スピーカ装置を小型化できるので、発光スピーカ装置の利便性を向上させることができるとともに、振動発電装置が振動によって発電し、その発電された電力が蓄電装置に貯蔵されるので、災害発生などの停電時に、振動発電装置に振動を与えることによって、発光スピーカ装置を非常用の照明用灯具として使用することができる。
【００２５】
請求項２の発明によれば、発光スピーカ装置は、ケーブルを介して外部の音源装置に接続され、音源装置と別体に形成されているので、発光スピーカ装置を所望に利用することができて汎用性を向上させることができる。
【００２６】
請求項３の発明によれば、音源装置から送信された音圧データに応じた音声を発音するとともに、面発光素子の放射光により照明可能な発光スピーカ装置を具備する音声器具を提供することができる。
【図面の簡単な説明】
【００２７】
【図１】本発明の実施例１を示す発光スピーカ装置の概略構成図。
【図２】同じく、振動板の概略構成図。
【図３】本発明の実施例２を示す音声器具であり、（ａ）は概略正面図、（ｂ）は概略側断面図。
【発明を実施するための形態】
【００２８】
以下、本発明の一実施の形態について、図面を参照して説明する。
【００２９】
本発明において、振動板は、振動によって発電する振動発電装置および面発光素子を有して形成されている。振動板は、振動装置により振動され、その振動に応じた音声を発音させる。また、振動板は、外部からの振動に応動して振動する。振動板が振動すると、振動板の振動発電装置が当該振動によって発電し、その発電した電力が蓄電装置に貯蔵される。そして、点灯装置は、蓄電装置に接続されると、蓄電装置に貯蔵された電力を電源として入力し、面発光素子を点灯する。
【実施例１】
【００３０】
図１および図２は、本発明の実施例１を示し、図１は発光スピーカ装置の概略構成図、図２は振動板の概略構成図である。
【００３１】
図１において、発光スピーカ装置１は、振動板２、振動装置３、接続装置４、蓄電装置５および点灯装置６を有して構成されている。そして、発光スピーカ装置１は、振動板２が振動することによって音声を発音し、振動板２が発光することによって可視光を出射するものである。
【００３２】
振動板２は、振動によって発電する振動発電装置７および可視光を放射する面発光素子としての有機エレクトロルミネッセンス（ＥＬ）素子８を一体化して形成している。
【００３３】
振動発電装置７は、例えば既知の圧電素子であり、図２に示すように、圧電薄膜層９が下部電極１０および上部電極１１に挟み込まれている。すなわち、所定の形状および大きさに形成されたフィルム状の下部電極１０に、圧電薄膜層９、上部電極１１の順に、例えばスパッタリングなどにより成膜して形成されている。
【００３４】
圧電薄膜層９は、例えば酸化亜鉛（ＺｎＯ）、窒化アルミニウム（ＡｌＮ）やポリフッ化ビニリデン（ＰＶＤＦ）などを用いて形成されている。また、下部電極１０および上部電極１１は、例えばタングステン（Ｗ）、アルミニウム（Ａｌ）、ニッケル（Ｎｉ）、銅（Ｃｕ）、金（Ａｕ）または銀（Ａｇ）などが用いられている。
【００３５】
そして、振動発電装置７は、その下部電極１０および上部電極１１が蓄電装置５に接続されている。振動発電装置７は、振動することによって圧電薄膜層９に電荷（電力）が発生する。この電荷（電力）は、下部電極１０および上部電極１１を介して蓄電装置５に供給されて貯蔵される。すなわち、振動発電装置７は、自己に加わった振動エネルギーを電気エネルギーに変換して蓄電装置５に貯蔵させる。
【００３６】
振動発電装置７の表面７ａには、例えばポリエチレンやポリイミドなどからなり、振動発電装置７と略同大状に形成された絶縁フィルム１２が貼付により設けられている。そして、この絶縁フィルム１２上に有機ＥＬ素子８が形成されている。
【００３７】
有機ＥＬ素子８は、陰極１３、有機発光層１４および透明導電膜からなる陽極陰極１５の順に形成されている。陰極１３は、例えば、アルミニウム（Ａｌ）やマグネシウム（Ｍｇ）などからなり、絶縁フィルム１２の表面に、真空蒸着やスパッタリングなどにより薄膜に形成されている。陰極１３は、光透過しない又は光透過の低い電極材料が用いられることにより、有機発光層１４における発光を陽極１５側に照射する。
【００３８】
有機発光層１４は、陽極１５の側に図示しないホール輸送層、陰極１３の側に図示しない電子注入層を積層した多層構成に形成されている。そして、陽極１５側を正電圧として陽極１５および陰極１３間に直流電圧が印加されると、電子注入層を介して注入された電子と、ホール輸送層を介して注入されたホールとが有機発光層１４内で結合して発光が起きるものである。有機発光層１４は、直流電圧の印加により可視光例えば白色光を発光する各種有機物や有機化合物を用いて形成されている。
【００３９】
陽極１５は、例えば、インジウム−スズ酸化物（ＩＴＯ）、酸化錫（ＳｎＯ2）、酸化亜鉛（ＺｎＯ）等の透明性導電材料からなり、有機発光層１４の表面に、真空蒸着やスパッタリングなどにより薄膜に形成されている。
【００４０】
そして、陽極１５および陰極１３は、点灯装置６の出力間に接続されている。有機ＥＬ素子８は、点灯装置６から出力された直流電圧が陽極１５および陰極１３に印加すると、点灯し、可視光例えば白色光を放射する。こうして、振動発電装置７および有機ＥＬ素子８により形成された振動板２は、振動装置３により振動される。
【００４１】
振動装置３は、図１に示すように、回路基板１６に実装され、振動発電装置７の背面７ｂに接触するように設けられている。回路基板１６には、電源端子や入力端子などが設けられているとともに、銅箔からなる複数の配線パターンが形成されている。この配線パターンは、振動装置３に電気接続されているとともに、リード線１７を介して接続装置４に接続されている。
【００４２】
接続装置４は、接続器具１８および信号変換装置１９により構成されている。接続器具は、例えばコネクタであり、外部の音源装置２０に接続されているケーブル２１が着脱される。信号変換装置１９は、リード線１７および回路基板１６の配線パターンを介して振動装置３に接続されているとともに、接続器具１８を介して音源装置２０のケーブル２１に接続されている。そして、接続器具１８にケーブル２１が接続されているときに、音源装置２０から音圧データが送信されると、信号変換装置１９は、当該音圧データを電気信号に変換して振動装置３に送信するように形成されている。
【００４３】
振動装置３は、信号変換装置１９から送信された電気信号に応じて振動するように、既知の構成により形成されている。すなわち、振動装置３は、外部の音源装置２０から送信された音圧データに応じて振動する。音源装置２０は、所定の音声が発生される音圧データを生成して送信するように形成されている。
【００４４】
なお、信号変換装置１９は、接続装置４に設けず、回路基板１６に実装してもよく、また、振動装置３に設けられていてもよい。
【００４５】
振動装置３の振動は、振動装置３に接触している振動板２を振動させる。振動板２の振動は、振動板２の近辺の空気を振動させ、振動板２の近辺に配設されている透光性の共鳴板２２を振動させる。これにより、前記音圧データに応じた音声が発音される。
【００４６】
蓄電装置５は、図示しない大容量のバッテリを備えており、このバッテリに振動発電装置７によって発電された電力（電荷）を貯蔵するように形成されている。蓄電装置５の出力側は、スイッチ２３を介して点灯装置６の入力側に接続されており、点灯装置６に直流電圧を供給する。スイッチ２３は、例えば装置本体２４の外面に露出するように配設されている。
【００４７】
なお、蓄電装置５の出力側は、図示しない電圧調整装置を介して回路基板１６の電源端子に接続されてもよい。そして、この電源端子に供給された直流電圧が配線パターンを介して振動装置３などに供給されることにより、振動装置３などの動作電源となってもよい。また、蓄電装置５は、振動発電装置７によって充電されるのに加え、図示しない接続具を介して、交流電圧を直流電圧に変換する外部のアダプタに着脱可能に接続され、このアダプタにより充電されるようにしてもよい。
【００４８】
点灯装置６は、スイッチ２３が閉路されると、その入力側が蓄電装置５の出力側に接続されて、蓄電装置５に貯蔵された電力が電源として入力される。そして、点灯装置７は、入力した直流電圧を所定の直流電圧に変換して、有機ＥＬ素子８の陽極１５および陰極１３間に出力するように、周知の構成により形成されている。有機ＥＬ素子８は、その陽極１５および陰極１３間に前記所定の直流電圧が印加すると点灯し、可視光例えば白色光を放射する。
【００４９】
次に、本発明の実施例１の作用について述べる。
【００５０】
外部の音源装置２０に接続されているケーブル２１が接続装置４に接続されているときに、音源装置２０から所定の音圧データが送信されると、当該音圧データは、接続装置４の信号変換装置１９により電気信号に変換されて振動装置３に受信される。振動装置３は、受信した電気信号に応じて振動板２を振動させる。そして、振動板２の振動に共鳴板２２が共鳴して前記所定の音圧データに応じた音声が発音される。こうして、音源装置２０から送信された音圧データに応じた音声が発光スピーカ装置１から発音される。
【００５１】
また、振動板２の振動に応じて、振動発電装置７が振動する。振動発電装置７は、振動することにより発電する。発電した電力は、蓄電装置５に貯蔵（蓄電）される。すなわち、発光スピーカ１は、音声を発音しているときに発電し、発電した電力を蓄電装置５に貯蔵する。これにより、有機ＥＬ素子８を点灯する電源が蓄電装置５に蓄積される。
【００５２】
そして、スイッチ２３をオン（閉路）すると、蓄電装置５の出力側に点灯装置６の入力側が接続され、蓄電装置５に貯蔵された電力が点灯装置６に電源として入力される。点灯装置６は、蓄電装置５から出力された直流電圧を所定の直流電圧に変換し、有機ＥＬ素子８の陽極１５および陰極１３間に印加する。これにより、有機ＥＬ素子８は、点灯（発光）し、可視光例えば白色光を放射する。その放射光は、透光性の共鳴板２２を透過して、装置本体２４の外方に出射される。
【００５３】
こうして、発光スピーカ装置１は、音声を発音しているときに、スイッチ２３をオンして有機ＥＬ素子８を点灯させることができ、有機ＥＬ素子８からの放射光を照明光として利用することができる。そして、有機ＥＬ素子８は、振動板２である振動発電装置７の表面７ａ側に設けられているので、発音の出音方向と、有機ＥＬ素子８の放射光の出射方向を略同一方向とすることができる。
【００５４】
そして、外部の音源装置２０に接続されているケーブル２１を接続装置４から取り外すと、発光スピーカ装置１は、持ち運び等により、別の音源装置に接続することができる。また、発光スピーカ装置１を電灯などの照明用灯具として利用できる。すなわち、スイッチ２３をオンすると、点灯装置６が蓄電装置５に接続されて有機ＥＬ素子８が点灯し、スイッチ２３をオフすると、点灯装置６が蓄電装置５に接続されなくなり有機ＥＬ素子８が消灯する。
【００５５】
そして、災害の発生などにより停電したときに、例えば装置本体２４を手で持って振るなどして振動板２に外部から振動を与えると、振動板２は、当該振動に応動して振動する。振動発電装置７は、振動によって発電する。その発電した電力は、蓄電装置５に貯蔵される。こうして、例え停電となったときでも、有機ＥＬ素子８を点灯する電源を確保することができて、発光スピーカ装置１を非常用の照明用灯具として使用することができる。このように、発光スピーカ装置１は、音源装置２０と別体に形成されているので、発光スピーカ装置１を所望に利用することができて汎用性を向上させることができる。
【００５６】
また、振動によって発電する振動発電装置７は、振動板２を兼用しているので、発光スピーカ装置１を小型化にすることができる。これにより、発光スピーカ装置１の利便性を向上させることができる。
【実施例２】
【００５７】
図３は、本発明の実施例２を示す音声器具であり、（ａ）は概略正面図、（ｂ）は概略側断面図である。なお、図１と同一部分には、同一符号を付して説明は省略する。
【００５８】
図３に示す音声器具２５は、例えば広場や道路の路肩などに設置される誘導案内灯であり、長方形の箱状に形成された筐体２６に図１に示す発光スピーカ装置１および音源装置２０が収納されている。筐体２６は、鋼板などの金属からなり、地面に直立するように地面に設けられた図示しない台座に固定されている。
【００５９】
筐体２６の前面２６ａには、図３（ａ）に示すように、上下方向の上部側に標識２７が貼付され、下部側に広告看板２８が貼付され、中央部側に透光窓２９が形成されている。標識２７には、例えば帰路、見学（案内）順路や建物への誘導（移動）方向を示す案内矢印３０が表示されている。また、広告看板２８には、例えば商品や建物の概要などが表示されている。そして、透光窓２９は、前面２６ａに貼付された透光板３１により閉塞されている。透光板３１は、例えばアクリルからなる薄板に形成されている。
【００６０】
発光スピーカ装置１は、図３（ｂ）に示すように、振動板２の有機ＥＬ素子８が透光窓２９に正対しかつ近接するようにして、筐体２６の内面に設けられた図示しない取付部材に固定されている。振動板２の有機ＥＬ素子８は、透光板３１を介して筐体２６の前面２６ａに露出している。また、音源装置２０は、筐体２６の底面２６ｂに固定されている。
【００６１】
音源装置２０は、案内矢印３０の誘導方向や広告看板２８の表示内容などを有する音圧データを発光スピーカ装置１に送信する。発光スピーカ装置１は、音圧データに応じて振動板２を振動させて、案内矢印３０の誘導方向や広告看板の表示内容などを音声で発音する。当該音声は、透光窓２９を通して筐体２６の前面２６ａ側から外方に出音される。これにより、筐体２６の近辺にいる人に誘導方向を指示することができるとともに、広告内容を知らせることができる。
【００６２】
発光スピーカ１から音声が発音されているとき、振動板２（振動発電装置７）の振動によって発電された電力が蓄電装置５に貯蔵される。また、強風、地震または車両等の通行による地面の震動などによって筐体２６が振動すると、発光スピーカ装置１の振動板２（振動発電装置７）が振動し、発電した電力が蓄電装置５に貯蔵される。
【００６３】
そして、夜間や周辺が暗いときには、手動またはタイマー等によりスイッチ２３がオンされる。これにより、有機ＥＬ素子８が点灯し、可視光例えば白色光が放射される。当該放射光は、透光窓２９および透光板３１を通過して、筐体２６の前面２６ａ側から外方に出射される。これにより、誘導案内される人は、誘導案内灯である音声器具２５の位置を容易に認識することができる。
【００６４】
上述したように、音源装置２０から送信された音圧データに応じた音声を発音するとともに、有機ＥＬ素子８の放射光により照明することのできる発光スピーカ装置１を具備することにより、利便性の向上する発音器具２５を提供することができる。
【産業上の利用可能性】
【００６５】
本発明は、放送装置、誘導案内装置、警報装置、信号装置、看板・広告装置や映像装置などに利用することができる。
【符号の説明】
【００６６】
１…発光スピーカ装置、  ２…振動板、  ３…振動装置、  ４…接続装置、  ５…蓄電装置、  ６…点灯装置、  ７…振動発電装置、  ８…面発光素子としての有機エレクトロルミネッセンス（ＥＬ）素子、  ２０…音源装置、  ２５…音声器具、  ２６…筐体
【図１】
2011061413.tif 000003
【図２】
2011061413.tif 000004
【図３】
2011061413.tif 000005